(57)【特許請求の範囲】
【請求項１】
本体に撮像エリアを撮像する撮像部が設けられ、前記撮像部で撮像する撮像エリアのうち検知エリアを設定し、かつ、前記検知エリアを複数に分割して複数の分割検知エリアを設定する撮像装置において、
前記本体に、前記分割検知エリア毎に検知条件を可変させる、前記分割検知エリア毎に対応した検知可変部が設けられ、
前記検知可変部は、前記検知エリアにおける前記複数の分割検知エリアの配置に対応し、前記複数の分割検知エリアと同じ配置とされた物理的なスイッチであることを特徴とする撮像装置。
【請求項２】
請求項１に記載の撮像装置で撮像した撮像エリアの画像の記録処理を行う画像記録処理システムにおいて、
前記画像の表示を行う表示装置と、前記画像の記録処理を行う処理装置とが、含まれ、
前記処理装置に、前記撮像装置の前記検知可変部とは異なる、前記分割検知エリア毎に検知条件を可変させる第２の検知可変部が設けられ、
前記表示装置では、前記撮像装置で撮像した撮像エリアの画像と、前記検知可変部および前記第２の検知可変部による検知条件の設定と、が表示されることを特徴とする画像記録処理システム。
【請求項３】
請求項２に記載の画像記録処理システムにおいて、
前記検知可変部の検知条件と、前記第２の検知可変部の検知条件とでは、前記第２の検知可変部の検知条件を優先させることを特徴とする画像記録処理システム。
【発明の詳細な説明】
【技術分野】
【０００１】
本発明は、撮像装置および画像記録処理システムに関に関する。
【背景技術】
【０００２】
現在、防犯用の機器として、例えば監視カメラシステムなどが挙げられる。この監視カメラシステムは、監視を行うために所望の撮像エリアを撮像する撮像装置（カメラ）と、カメラで撮像した画像の記録などを行うレコーダーと、カメラで撮像した画像を表示するモニターなどから構成され、カメラを用いて不法侵入者などを撮像監視するものである。
【０００３】
ところで、この監視カメラシステムを使用して不法侵入者などを監視する場合、カメラの設置場所によっては、監視に不要なエリア（壁や木などの障害物）やプライバシーを侵害するエリアを撮像する可能性がある。
【０００４】
そこで、従前の技術に、不要なエリアなどを撮像エリアから除くものがある（例えば、特許文献１参照）。
【０００５】
この特許文献１は、撮像エリアに、マトリックス状に配列した分割検知エリアから構成れた検知エリアを設定し、この分割検知エリアのうち撮像に不要なエリアなどをマスキングして検知エリアから除くものである。具体的に、カメラ本体に２つのスイッチが設けられ、この２つのスイッチを用いて、分割検知エリアのうち撮像に不要なエリアをマスキングし、不要なエリアを検知エリアから除くようになっている。そのため、この特許文献１によれば、特別な機器を準備することなく、カメラの本体側において非検知エリアとするマスキングするエリア（マスクエリア）の設定が行なえるとされている。
【０００６】
更に、この特許文献１を詳説すると、カメラ本体に設けられた２つのスイッチは、それぞれ、分割検知エリアの中からマスクエリアを選択するために対象となる分割検知エリアを選択する（マスクを移動させる）移動スイッチと、マスクエリアを確定する設定スイッチとからなる。そして、マトリックス状（特許文献１では８行×１０列）に配列された分割検知エリア一つ一つに対して、移動スイッチを所定回数押すことでマスクを所望の分割検知エリアまで移動させ、所望の分割検知エリアにおいて設定スイッチを押すことでマスクエリアを確定する。
【特許文献１】特開２００６−５０４５３号公報
【発明の開示】
【発明が解決しようとする課題】
【０００７】
しかしながら、この２つのスイッチ（移動スイッチと設定スイッチ）を用いてマスキングを行う場合、次に示すような不具合が生じる可能性があり、この場合特許文献１に記載の効果は薄れる。
【０００８】
特許文献１によれば、マトリックス状に配列された分割検知エリアのうちマスキングを行いたい所望のマスクエリアまでマスクを移動させるために移動スイッチを所定回数押さなければならない。そのため、移動スイッチの押す回数を間違える可能性があり、この場合、所望していない分割検知エリアをマスキングする対象の分割検知エリアとして選択することになり、その結果、設定スイッチによりこの所望していない分割検知エリアをマスクエリアに確定してしまう。
【０００９】
また、特許文献１ではマスクエリアの設定を１つずつ行うために、複数の分割検知エリアをマスクエリアにする場合、マスクエリアの設定数の増加に伴って移動スイッチを押す回数が増える。その結果、移動スイッチの押す回数の間違いが起きる可能性が更に増え、その結果、所望する複数個の分割検知エリアをマスクエリアに確定することは難しく、マスキング処理の精度が落ちることは明らかである。
【００１０】
上記したことから、特許文献１では、モニターなどの表示装置を用いずに、すべての分割検知エリアに対して個別に検知条件を可変させること（上記した特許文献１の場合、マスキングの有無の設定）は難しい。
【００１１】
そこで、上記課題を解決するために、本発明は、特別な機器を準備することなく、撮像装置の本体側において不要なエリアを検知エリアから除くなど、すべての分割検知エリアにおいて検知条件を容易に任意設定する撮像装置および画像記録処理システムを提供することを目的とする。
【課題を解決するための手段】
【００１２】
上記の目的を達成するため、本発明にかかる撮像装置は、本体に撮像エリアを撮像する撮像部が設けられ、前記撮像部で撮像する撮像エリアのうち検知エリアを設定し、かつ、前記検知エリアを多数個に分割して多数個の分割検知エリアを設定する撮像装置において、前記本体に、前記分割検知エリア毎に検知条件を可変させる、前記分割検知エリア毎に対応した検知可変部が設けられ、前記検知可変部は、前記検知エリアにおける前記複数の分割検知エリアの配置に対応し、前記複数の分割検知エリアと同じ配置とされた物理的なスイッチであることを特徴とする。
【００１３】
本発明によれば、特別な機器を準備することなく、前記本体において不要なエリアを前記検知エリアから容易に除くなど、すべての前記分割検知エリアにおいて検知条件を容易に任意設定することが可能となる。具体的に、前記本体に、前記分割検知エリア毎に検知条件を可変させる、前記分割検知エリア毎に対応した検知可変部が設けられ、前記検知可変部は、前記検知エリアにおける前記複数の分割検知エリアの配置に対応し、前記複数の分割検知エリアと同じ配置とされた物理的なスイッチであるので、所望する分割検知エリアのみにおいて検知条件を可変させることが可能となり、所望していない分割検知エリアの検知条件を可変させることはない。また、前記検知可変部は、前記検知エリアにおける前記複数の分割検知エリアの配置に対応し、前記複数の分割検知エリアと同じ配置とされた物理的なスイッチであるので、作業者が検知条件を可変させることを視覚的に容易に行うことが可能となる。
【００１６】
また、上記の目的を達成するため、本発明にかかる画像記録処理システムは、上記した撮像装置で撮像した撮像エリアの画像の記録処理を行う画像記録処理システムにおいて、前記画像の表示を行う表示装置と、前記画像の記録処理を行う処理装置とが、含まれ、前記処理装置に、前記撮像装置の前記検知可変部とは異なる、前記分割検知エリア毎に検知条件を可変させる第２の検知可変部が設けられ、前記表示装置では、前記撮像装置で撮像した撮像エリアの画像と、前記検知可変部および前記第２の検知可変部による検知条件の設定と、が表示されることを特徴とする。
【００１７】
本発明によれば、特別な機器を準備することなく、前記撮像装置本体において不要なエリアを前記検知エリアから容易に除くなど、すべての前記分割検知エリアにおいて検知条件を容易に任意設定することが可能となる。具体的に、前記撮像装置本体に、前記分割検知エリア毎に検知条件を可変させる、前記分割検知エリア毎に対応した複数個の検知可変部が設けられているので、所望する分割検知エリアのみにおいて検知条件を可変させることが可能となり、所望していない分割検知エリアの検知条件を可変させることはない。また、本発明によれば、前記撮像装置本体に前記検知可変部が設けられるだけでなく、前記処理装置に、前記撮像装置の前記検知可変部とは異なる第２の検知可変部が設けられているので、前記処理装置においても前記分割検知エリア毎に検知条件を可変させることが可能となり、前記分割検知エリア毎に検知条件を可変させる自由度が増す。
【００１８】
前記構成において、前記検知可変部の検知条件と、前記第２の検知可変部の検知条件とでは、前記第２の検知可変部の検知条件を優先させてもよい。
【００１９】
この場合、前記検知可変部の検知条件と、前記第２の検知可変部の検知条件とでは、前記第２の検知可変部の検知条件を優先させるので、簡易的に（暫定的に）前記撮像装置の前記検知可変部によって前記分割検知エリア毎に検知条件を可変させ、前記処理装置の第２の検知可変部によって前記分割検知エリア毎の検知条件の再調整を行うことが可能となる。
【発明の効果】
【００２０】
本発明によれば、特別な機器を準備することなく、撮像装置の本体側において不要なエリアを検知エリアから除くなど、すべての分割検知エリアにおいて検知条件を容易に任意設定することが可能となる。
【発明を実施するための最良の形態】
【００２１】
以下、本発明の実施の形態について図面を参照して説明する。なお、以下に示す実施例では、画像記録処理システムとして監視カメラシステムに本発明を適用した場合を示す。しかしながら、本発明にかかる画像記録処理システムは、監視カメラシステムに限定されるものではなく、これは好適な例であり、任意場所に撮像装置を設置し、処理装置（および表示装置）を撮像装置から離した位置で設置する画像記録処理システムであればよい。
【００２２】
本実施の形態にかかる監視カメラシステム１は、図１〜３に示すように、監視を行うために所望の撮像エリア４（図４，６参照）を撮像する撮像装置２と、撮像装置２で撮像した撮像エリア４の画像の記録や表示などを行う処理装置３とから、構成され、撮像装置２で撮像した撮像エリア４の画像の記録処理を行う。
【００２３】
撮像装置２は、図２，３に示すように、天井などに設定するドーム型のものであり、接続ケーブル２１により処理装置３に接続されている。この撮像装置２では、当該装置２で撮像する撮像エリア４のうち予め検知エリア５を設定し、かつ、検知エリア５を２１個に分割して２１個の分割検知エリアＡ１〜Ｃ７を設定する。なお、ここでいう分割検知エリアＡ１〜Ｃ７は、図４，６に示すように、撮像エリア４に設定された検知エリア５を、７行３列のマトリックス状に分割設定したものである。具体的に、図示上段左から右にかけてＡ１，Ａ２，Ａ３，Ａ４，Ａ５，Ａ６，Ａ７に分割設定し、図示中段左から右にかけてＢ１，Ｂ２，Ｂ３，Ｂ４，Ｂ５，Ｂ６，Ｂ７に分割設定し、図示下段左から右にかけてＣ１，Ｃ２，Ｃ３，Ｃ４，Ｃ５，Ｃ６，Ｃ７に分割設定している。
【００２４】
この撮像装置２には、その本体２２の内部に、所望の撮像エリア４を撮像する撮像部２３と、分割検知エリアＡ１〜Ｃ７毎に検知条件を可変させる検知可変部２４（図５，７参照）と、検知エリア５の設定の検知信号や、撮像した撮像エリア４の画像信号（検知信号や画像信号）の送受信を行う画像処理として機能を有する検知部２５とが設けられている。なお、検知可変部２４は、具体的に分割検知エリアＡ１〜Ｃ７毎に対応した２１個のＤＩＰスイッチからなり、本体２２に分割検知エリアＡ１〜Ｃ７と同じ配置とされた物理的なスイッチである。また、ここでいう撮像部２３や検知可変部２４や検知部２５は、透過性部材である半球状からなるケース２５によって覆われている。
【００２５】
検知可変部２４は、図３，５，７に示すように、撮像エリア４における２１個の分割検知エリアＡ１〜Ｃ７の配置に対応している。具体的に、本実施の形態では、検知可変部２４に２１個のＤＩＰスイッチを用いており、２１個のＤＩＰスイッチが２１個の分割検知エリアＡ１〜Ｃ７の配置に対応して同様の配置とされている。この２１個のＤＩＰスイッチの配置により、表示装置（表示部３２）で表示する画像（撮像エリア４）を用いずに検知条件を可変させることを容易に行うことができる。
【００２６】
また、本実施の形態にかかる検知条件は、検知エリア５において監視に不要なエリア（壁や木などの障害物や道路など）がある場合、その不要なエリアを検知エリア５から外すか否かを設定することである。
【００２７】
具体的に、撮像エリア４を図４に示す領域とした時、分割検知エリアＡ５，Ａ６，Ａ７，Ｂ５，Ｂ６，Ｂ７，Ｃ６，Ｃ７には車庫に停まっている車があり、分割検知エリアＡ５，Ａ６，Ａ７，Ｂ５，Ｂ６，Ｂ７，Ｃ６，Ｃ７は監視に不要なエリアと判断する。また、分割検知エリアＡ１，Ａ２，Ｂ１，Ｂ２，Ｃ１，Ｃ２には植木と柵があり、分割検知エリアＡ１，Ａ２，Ｂ１，Ｂ２，Ｃ１，Ｃ２は監視に不要なエリアと判断する。また、一部上記不要なエリアと重複するが、分割検知エリアＡ１，Ａ２，Ａ３，Ａ４，Ａ５，Ａ６，Ａ７には道路（車庫に車が停まった場合の車と、植木や柵も含む）があり、分割検知エリアＡ１，Ａ２，Ａ３，Ａ４，Ａ５，Ａ６，Ａ７は監視に不要なエリアと判断する。
【００２８】
これら不要なエリアの判断により、分割検知エリアＡ１，Ａ２，Ａ３，Ａ４，Ａ５，Ａ６，Ａ７，Ｂ１，Ｂ２，Ｂ５，Ｂ６，Ｂ７，Ｃ１，Ｃ２，Ｃ６，Ｃ７のマスキングを行なって、検知条件を可変させる。具体的に、該当する検知可変部２４のＤＩＰスイッチ（図５に示すＤＩＰスイッチＡ１，Ａ２，Ａ３，Ａ４，Ａ５，Ａ６，Ａ７，Ｂ１，Ｂ２，Ｂ５，Ｂ６，Ｂ７，Ｃ１，Ｃ２，Ｃ６，Ｃ７）を切り換える（本実施の形態ではスイッチを図示上側に入れる）。このＤＩＰスイッチの切換により、図４に示すように分割検知エリアＡ１，Ａ２，Ａ３，Ａ４，Ａ５，Ａ６，Ａ７，Ｂ１，Ｂ２，Ｂ５，Ｂ６，Ｂ７，Ｃ１，Ｃ２，Ｃ６，Ｃ７がマスキングされて、検知エリア５は分割検知エリアＢ３，Ｂ４，Ｃ３，Ｃ４，Ｃ５となる。なお、この図４に示す検知エリア５の設定では、第２の検知可変部３５による検知設定はないものとする。なお、第２の検知可変部３５による検知設定を行う場合、第２の検知可変部３５により検知条件を可変させる分割検知エリアのみ第２の検知可変部３５の変更に従う（下記の第２の検知可変３５参照）。
【００２９】
また、撮像エリア４を図６の示す領域とした時、分割検知エリアＡ５，Ａ６，Ａ７，Ｂ６，Ｂ７，Ｃ６，Ｃ７には車庫に停まっている車があり、分割検知エリアＡ５，Ａ６，Ａ７，Ｂ６，Ｂ７，Ｃ６，Ｃ７は監視に不要なエリアと判断する。また、分割検知エリアＡ１，Ａ２，Ｂ１，Ｂ２，Ｃ１，Ｃ２には植木と柵があり、分割検知エリアＡ１，Ａ２，Ｂ１，Ｂ２，Ｃ１，Ｃ２は監視に不要なエリアと判断する。これら不要なエリアの判断により、分割検知エリアＡ１，Ａ２、Ａ５，Ａ６，Ａ７，Ｂ１，Ｂ２，Ｂ６，Ｂ７，Ｃ１，Ｃ２，Ｃ６，Ｃ７のマスキングを行なって、検知条件を可変させる。具体的に、該当する検知可変部２４のＤＩＰスイッチ（図７に示すＤＩＰスイッチＡ１，Ａ２、Ａ５，Ａ６，Ａ７，Ｂ１，Ｂ２，Ｂ６，Ｂ７，Ｃ１，Ｃ２，Ｃ６，Ｃ７）を切り換える（本実施の形態ではスイッチを図示上側に入れる）。このＤＩＰスイッチの切換により、図６に示すように分割検知エリアＡ１，Ａ２、Ａ５，Ａ６，Ａ７，Ｂ１，Ｂ２，Ｂ６，Ｂ７，Ｃ１，Ｃ２，Ｃ６，Ｃ７がマスキングされて、検知エリア５は分割検知エリアＡ３，Ａ４，Ｂ３，Ｂ４，Ｂ５，Ｃ３，Ｃ４，Ｃ５となる。なお、この図６に示す検知エリア５の設定では、第２の検知可変部３５による検知設定はないものとする。なお、第２の検知可変部３５による検知設定を行う場合、第２の検知可変部３５により検知条件を可変させる分割検知エリアのみ第２の検知可変部３５の変更に従う（下記の第２の検知可変３５参照）。
【００３０】
処理装置３には、図１，３に示すように、撮像装置２で撮像した撮像エリア４の画像の処理制御を行う制御部３１と、撮像装置２で撮像した撮像エリア４の画像を表示する表示部３２（本発明でいう表示装置）と、撮像エリア４の画像の記録を行う記録部３３と、が設けられている。また、図１，３に示すように、制御部３１を操作する操作部３４（図１に示す各種ボタンなど）が、当該処理装置３の外部入力手段として設けられている。
【００３１】
また、この処理装置３には、分割検知エリアＡ１〜Ｂ７毎に検知条件を可変させる第２の検知可変部３５と、第２の検知可変部３５からの検知条件の可変命令により検知エリア５の設定を可変させる検知部３６とが、設けられている。ここでいう検知部３６は画像処理部としての機能を有している。これら第２の検知可変部３５および検知部３６は、撮像装置２の検知可変部２４および検知部２５とは異なる独立した構成である。具体的に、第２の検知可変部３５は、表示部３２に表示されタッチスクリーンにより検知条件を可変させるものであってもよく、操作部３４に別途、検知エリア５における２１個の分割検知エリアＡ１〜Ｃ７の配置と同じ配置とされたＤＩＰスイッチなどの入力部材であってもよい。
【００３２】
そして、当該監視カメラシステム１では、検知可変部２４の検知条件と、処理装置３の第２の検知可変部３５の検知条件とでは、第２の検知可変部３５の検知条件を優先させるよう設定されている。
【００３３】
上記したように、本実施の形態にかかる撮像装置２によれば、特別な機器を準備することなく、その本体２２において不要なエリアを検知エリア５から容易に除くなど、すべての分割検知エリアＡ１〜Ｃ７において検知条件を容易に任意設定することができる。具体的に、撮像装置２の本体２２に、分割検知エリアＡ１〜Ｃ７毎に検知条件を可変させる、分割検知エリアＡ１〜Ｃ７毎に対応した検知可変部２４が設けられているので、分割検知エリアＡ１〜Ｃ７のうち所望する分割検知エリアのみにおいて検知条件を可変させることができ、所望していない分割検知エリアの検知条件を可変させることはない。
【００３４】
また、本実施の形態によれば、検知可変部２４は、検知エリア５における２１個の分割検知エリアＡ１〜Ｃ７の配置に対応しているので、作業者が検知条件を可変させることを視覚的に容易に行うことができる。
【００３５】
また、上記したように、本実施の形態にかかる監視カメラシステム１によれば、特別な機器を準備することなく、撮像装置２の本体２２において不要なエリアを検知エリア５から容易に除くなど、すべての分割検知エリアＡ１〜Ｃ７において検知条件を容易に任意設定することができる。具体的に、撮像装置２の本体２２に、分割検知エリアＡ１〜Ｃ７毎に検知条件を可変させる、分割検知エリアＡ１〜Ｃ７毎に対応した検知可変部２４が設けられているので、分割検知エリアＡ１〜Ｃ７のうち所望する分割検知エリアのみにおいて検知条件を可変させることができ、所望していない分割検知エリアの検知条件を可変させることはない。また、当該監視カメラシステム１によれば、撮像装置２の本体２２に検知可変部２４が設けられるだけでなく、処理装置３に、撮像装置２の検知可変部２４とは異なる第２の検知可変部３５が設けられているので、処理装置３においても分割検知エリアＡ１〜Ｃ７毎に検知条件を可変させることができ、分割検知エリアＡ１〜Ｃ７毎に検知条件を可変させる自由度が増す。
【００３６】
また、検知可変部２４の検知条件と、第２の検知可変部３５の検知条件とでは、第２の検知可変部３５の検知条件を優先させるので、簡易的に（暫定的に）撮像装置２の検知可変部２４によって分割検知エリアＡ１〜Ｃ７毎に検知条件を可変させ、処理装置３の第２の検知可変部３５によって分割検知エリアＡ１〜Ｃ７毎の検知条件の再調整を行うことができる。
【００３７】
上記したことから、本実施の形態にかかる監視カメラシステム１によれば、撮像装置２に検知可変部２４を設けているので、すべての分割検知エリアＡ１〜Ｃ７における検知条件の設定の際に、必ず表示装置（表示部３２）を必要とするものではなく、別途表示装置（表示部３２）があれば尚好ましい形態とされる。特に、撮像装置２を設置工事する場合、撮像装置２を簡易設定する際に別途表示装置（表示部３２）と接続する必要がなく、設置作業の煩雑を抑えることができる。
【００３８】
なお、本実施の形態では、撮像装置２として天井などに設置するドーム型のものを適用しているが、これに限定されるものではなく、例えば、図８に示すようなＢＯＸ型の撮像装置２であってもよい。すなわち、少なくとも、撮像部２３と検知可変部２４が設けられていればその形状や他の機能は限定されるものではない。
【００３９】
また、本実施の形態では、撮像エリア４全体を検知エリア５に設定しているが、これに限定されるものではなく、撮像エリア４の上部を除く部分を検知エリア５に設定してもよく、また、撮像エリア４の下部のみを検知エリア５に設定してもよい。例えば、図４に示すＡ１〜Ａ７もしくはＣ１〜Ｃ７を省いた検知エリア５であってもよい。このように、図４に示すＡ１〜Ａ７もしくはＣ１〜Ｃ７を省いた検知エリア５とした場合、検知エリア５のうち明らかに分割検知エリア（例えば道路があるエリア）を不要なエリアとして予め検知条件から削除して検知設定をより簡易化することができる。
【００４０】
また、本実施の形態では、検知エリア５においてマトリックス状に分割検知エリアＡ１〜Ｃ７を配置しているが、分割検知エリアＡ１〜Ｃ７の形状や配置はこれに限定されるものではなく、例えば、検知エリア５の中心から放射状に複数の分割検知エリアが設定され、これら複数の分割検知エリアの形状が扇状に形成されてもよく、この場合、放射状あるいはロータリースイッチなどを利用することによりユーザが視覚的に分かり易い検知エリア５の検知条件を設定することができる。このように、本発明にかかる分割検知エリアの形状や配置は任意に設定してもよい。
【００４１】
また、本実施の形態では、２１個のＤＩＰスイッチを用いているが、その数はこれに限定されるものではなく、任意の数に設定可能である。
【００４２】
また、本実施の形態では、分割検知エリアＡ１〜Ｃ７をマトリックス状（７行３列）に配置しているが、これに限定されるものではなく、例えば７行２列のマトリックス状に配置してもよく、多段多列のマトリックス状に配置されていることが好ましい。
【００４３】
また、本実施の形態では、本発明でいう表示装置を処理装置３に設けた表示部３２としているが、これに限定されるものではなく、表示装置として処理装置３外に別途設けてもよい（外付けしてもよい）。
【００４４】
また、本実施の形態では、検知可変部２４の検知条件と、第２の検知可変部３５の検知条件とでは、第２の検知可変部３５の検知条件を優先させているが、これに限定されるものではなく、処理装置３の構成を図９に示す構成として、検知可変部２４の検知条件を優先させてもよい。なお、図９に示す処理装置３では、図３に示す処理装置３とは異なり検知部３６が設けられていないので、撮像装置２の検知部２５から検知条件を制御する信号が処理装置３に送られ、検知可変部２５の検知条件を優先させる。
【００４５】
また、本実施の形態では、検知エリア５において監視に不要なエリアがある場合、その不要なエリアを検知エリアから外すか否かを設定することを検知条件としているが、検知条件はこれに限定されるものではなく、他の用途を検知条件としてもよい。なお、本実施の形態の検知条件を、マスキング設定を目的とした検知条件とする。
【００４６】
具体的に、例えば、プライバシーを侵害するエリアが撮像エリア４の検知エリア５に含まれる場合、プライバシーを侵害するエリアに該当する分割検知エリアＡ１〜Ｂ７を画像から削除（例えば、該当する分割検知エリアをブラックアウトするなど）か否かを検知条件としてもよい。以下、この検知条件を、プライバシー設定を目的とした検知条件とする。
【００４７】
また、別の例として、検知エリアに日陰のエリアと日向のエリアが含まれている場合、光の影響によって撮像エリア４の画像が見難くなるので、撮像エリア４の画像を鮮明にするために、日向のエリアを逆光補正するか否かを検知条件としてもよい。なお、逆光補正だけでなく露出補正などの他の撮像条件の補正の有無を条件としてもよい。以下、この検知条件を、逆光や露出などの撮像設定を目的とした検知条件とする。
【００４８】
また、別の例として、侵入者を検出するための監視カメラシステムの撮像装置に本発明を適用した場合、侵入者に移動と、草木の揺れなどの侵入者以外の変位動作とを区別するために、侵入者の移動のみを検知するように検知エリア５のうち侵入者が撮像される分割検知エリアＡ１〜Ｂ７のみの物体の移動の検出感度を高めてもよい。具体的にこの場合の物体検知として赤外線センサを用いた検知などが挙げられる。以下。この検知条件を、検知感度設定を目的とした検知条件とする。
【００４９】
また、上記したマスキング設定やプライバシー設定や撮像設定や検知感度設定を、それぞれ単独で検知条件とするだけでなく、これらの設定を組み合わせた検知条件であってもよい。
【００５０】
なお、本発明は、その精神や主旨または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００５１】
本発明は、撮像装置および画像記録処理システムに適用でき、特に、任意場所に撮像装置を設置し、処理装置（および表示装置）を撮像装置から離した位置で設置する画像記録処理システムに好適である。
【図面の簡単な説明】
【００５２】
【図１】図１は、本実施の形態にかかる処理装置の概略平面図である。
【図２】図２は、本実施の形態にかかる撮像装置の概略側面図である。
【図３】図３は、本実施の形態にかかる監視カメラシステムの概略構成ブロック図である。
【図４】図４は、本実施の形態にかかる監視カメラシステムの表示部で表示された画像を示した図である。
【図５】図５は、図４に示す画像で表示された検知エリアを設定した検知可変部を示した図である。
【図６】図６は、本実施の形態にかかる監視カメラシステムの表示部で表示された画像を示した図である。
【図７】図７は、図６に示す画像で表示された検知エリアを設定した検知可変部を示した図である。
【図８】図８は、本実施の他の形態にかかる撮像装置の概略側面図である。
【図９】図９は、本実施の他の形態にかかる監視カメラシステムの概略構成ブロック図である。
【符号の説明】
【００５３】
１  監視カメラシステム
２  撮像装置
２２  撮像装置の本体
２４  検知可変部
３  処理装置
３２  表示部
３５  第２の検知可変部
４  撮像エリア
５  検知エリア
Ａ１〜Ｂ７  分割検知エリア
【図１】
0005150805.tif 000002
【図２】
0005150805.tif 000003
【図３】
0005150805.tif 000004
【図８】
0005150805.tif 000005
【図９】
0005150805.tif 000006
【図４】
0005150805.tif 000007
【図５】
0005150805.tif 000008
【図６】
0005150805.tif 000009
【図７】
0005150805.tif 000010